(57)【要約】【課題】  火炎形成部に形成される一次、二次各燃焼火炎のうちの、一次燃焼火炎の根元部に、空気が過剰に供給されないようにして、プロンプトＮＯｘの発生を抑制する。【解決手段】  バーナー１１と、このバーナー１１が取り付けられたバーナーベース１と、このバーナーベース１の上面に前記バーナー１１を覆うように取り付けられた燃焼筒２と、この燃焼筒２の背面に設けられた送風機３とを備えた燃焼温風暖房器において、前記送風機３に対面する燃焼筒２の背面壁下部と、バーナーベース１との隙間２５から燃焼筒２内に流入する空気を、前記燃焼筒２内のバーナー１１が取り付けられている領域より上部位置に導く隙間風ガイド１６を設け、前記隙間２５から燃焼筒２内に流入する空気がバーナー１１の火炎形成部１２に当たらないように構成した。【選択図】  図１
2005207653.tif 000002
【特許請求の範囲】
【請求項１】
火炎形成部（１２）を有するバーナー（１１）と、このバーナー（１１）が取り付けられたバーナーベース（１）と、このバーナーベース（１）の上面に前記バーナー（１１）を覆うように取り付けられた燃焼筒（２）と、この燃焼筒（２）の背面に設けられた送風機（３）とを備えた燃焼温風暖房器において、前記送風機（３）に対面する燃焼筒（２）の背面壁下部と、バーナーベース（１）との隙間（２５）から燃焼筒（２）内に流入する空気を、前記燃焼筒（２）内のバーナー（１１）が取り付けられている領域より上部位置に導く隙間風ガイド（１６）を設け、前記隙間（２５）から燃焼筒（２）内に流入する空気がバーナー（１１）の火炎形成部（１２）に当たらないように構成したことを特徴とする燃焼温風暖房器。
【発明の詳細な説明】
【技術分野】
【０００１】
本発明は燃料を燃焼させて得られる高温の燃焼ガスを室内に放散して暖房を行なう燃焼温風暖房器に関するものである。
【背景技術】
【０００２】
従来のこの種の燃焼温風暖房器は、図３及び図４に示すような構造のものが知られている。図３は燃焼筒と送風機の位置関係を示す要部斜視図である。図４は図３のＡ−Ａ‘線矢視断面図である。
【０００３】
図において、１はバーナーベース、２はこのバーナーベース１に取り付けられた燃焼筒、３はこの燃焼筒２の背面に設けられた送風機である。
【０００４】
４は燃焼筒２の側面に開設された二次空気取入口で、５はこの二次空気取入口を通じた二次空気の取り入れが能率良く行なわれるようにするための呼込フラップである。
【０００５】
６はベースフランジで、燃焼筒２をバーナーベース１上に取り付けるために裾部の４辺に折曲形成されている。７は取り付けネジで、前記ベースフランジ６をバーナーベース１に重ねて固定するためのものである。
【０００６】
８は液体燃料を気化させるための気化器で、９はこの気化器８に取り付けられて気化器８を加熱するシーズヒーター、１０はその気化器８で気化した燃料が噴出するノズル、１１はそのノズル１０から噴出する燃料ガスを受け入れて燃焼させるバーナー、１２はそのバーナー１１の火炎形成部、１３はその火炎形成部１２に生成される火炎にさらされて燃焼熱の一部を取り出し、それを気化器８に供給する受熱棒である。
【０００７】
１４は一次空気導入口で、送風機３から送風される空気の一部を一次空気としてバーナーベース１の下面のノズル１０側に導き入れるためにバーナーベース１に開設されている。
【０００８】
１５は二次空気導入口で、送風機３に対面する燃焼筒２の背面壁の比較的下方位置であって、しかも送風機３から送風される空気に直接さらされる位置にあり、送風機３が送風する空気の一部を二次空気として燃焼筒２内の底部のバーナー１１が設けられている領域よりも上部から積極的に流入させるためのものである。
【０００９】
２５は隙間で、燃焼筒２をバーナーベース１上に取り付けるのに、燃焼筒２の裾部の４辺に折曲形成されているベースフランジ６を、バーナーベース１に重ねて取り付けネジ７で締め付けているため、燃焼筒２とバーナーベース１との接続部に生じる隙間である。
【００１０】
このような構造の従来例においては、暖房運転中は、バーナーベース１に開設された一次空気導入口１４から流入する空気は、気化器ノズル１０から噴出する気化燃料のエジェクター効果によりバーナー１１に自然吸引され、燃焼に必要な一次空気として利用される。他方、燃焼筒２の二次空気導入口１５から流入する空気は、燃焼用の二次空気として利用される。そして、このようにして燃焼筒２内で燃焼させることにより窒素酸化物の発生を抑制し、得られる高温の燃焼ガスを室内に放散して暖房を行っている。
【００１１】
【特許文献１】特開２０００−９３４６号公報
【発明の開示】
【発明が解決しようとする課題】
【００１２】
しかしながら、上記従来技術において、送風機３に対面する燃焼筒２の背面壁下部と、バーナーベース１との接続部に避けがたく形成されてしまう隙間２５から燃焼筒２内に流入する空気は、燃焼筒２内の底部のバーナー１１が設けられている領域の火炎形成部１２に当たり、それによって、火炎形成部１２に形成される一次燃焼火炎から二次燃焼火炎に移行する境界領域への空気の流れ込みが発生し、その結果バーナー１１部で積極的に燃焼反応が起こり、窒素酸化物のプロンプトＮＯｘの生成が促進されてしまうという問題が生じている。
【課題を解決するための手段】
【００１３】
本発明は上記の問題を解決するためになされたものであり、火炎形成部を有するバーナーと、このバーナーが取り付けられたバーナーベースと、このバーナーベースの上面に前記バーナーを覆うように取り付けられた燃焼筒と、この燃焼筒の背面に設けられた送風機とを備えた燃焼温風暖房器において、前記送風機に対面する燃焼筒の背面壁下部と、バーナーベースとの隙間から燃焼筒内に流入する空気を、前記燃焼筒内のバーナーが取り付けられている領域より上部位置に導く隙間風ガイドを設け、前記隙間から燃焼筒内に流入する空気がバーナーの火炎形成部に当たらないようにするものである。
【発明の効果】
【００１４】
本発明の燃焼温風暖房器は、上記のように構成したことにより、燃焼筒の背面壁下部と、バーナーベースとの接続部に避けがたく形成されてしまう隙間から燃焼筒内に流入する空気は、隙間風ガイドにより燃焼筒内の底部のバーナーが設けられている領域より上部位置に導かれ、バーナーの火炎形成部に形成される一次燃焼火炎を直撃しないようにしたため、サーマルＮＯｘに比べ比較的低温の環境下で発生しやすいと言われている窒素酸化物のプロンプトＮＯｘを極めて効果的に抑制することができる。
【００１５】
また、燃焼筒をバーナーベースに取り付けネジにより固定する作業において、作業ばらつき等により隙間の間隔がばらついても窒素酸化物のプロンプトＮＯｘの発生の抑制状態は変化しないため、窒素酸化物の生成を安定して抑制することができる燃焼温風暖房器を提供することが出来る。
【発明を実施するための最良の形態】
【００１６】
以下、本発明の一実施例を図１〜図４を参照して説明する。図１は本発明の一実施例を説明する燃焼温風暖房器のバーナー部の断面図、図２は同じく隙間風ガイドの斜視図、図３は従来例と本発明の一実施例を説明する燃焼筒と送風機の位置関係を示す要部斜視図、図４は図３のＡ−Ａ‘線矢視断面図である。
【００１７】
なお、従来例で説明した構成と同じ構成の説明は省略する。
【００１８】
図において、１６は隙間風ガイドで、バーナーベース１に溶接により接続されていて、バーナーベース１に取り付けネジ７により固定された燃焼筒２の背面壁下部と、バーナーベース１との接続部に避けがたく形成されてしまう隙間２５から燃焼筒２内に流入する空気を、燃焼筒２内の底部のバーナー１１が設けられている領域より上部位置に導くためのものである。
【００１９】
１７は保炎衝立壁で、バーナー１１の火炎形成部１２の周囲に所定の高さを有して設置されている。
【００２０】
１８は保炎衝立壁１７の上縁に形成された二次燃焼火炎付着部であり、この二次燃焼火炎付着部１８は、図示されているようにフランジ状に外側に張り出して形成されたものである。
【００２１】
１９は火炎形成部１２に形成された一次燃焼火炎であり、保炎衝立壁１７の存在には格別影響されることなく火炎が形成される。
【００２２】
２０は二次燃焼火炎で、一次燃焼火炎１９の外側において、根元部を保炎衝立壁１７上縁の二次燃焼火炎付着部１８に付着させて形成されているものである。そして、二次燃焼火炎付着部１８に付着した二次燃焼火炎２０の根元の厚みは、二次燃焼火炎付着部１８の幅に対応し、一次燃焼火炎１９の根元部との間に十分な間隔をもって形成されている。
【００２３】
次に、以上の構成による作用を説明する。バーナー１１の火炎形成部１２の周囲には、保炎衝立壁１７が設けられているため、燃焼筒２の上部に流入させた二次空気が対流によって回り込んでも、火炎形成部１２に形成される一次燃焼火炎１９の根元部には直接的に供給されることがない。
【００２４】
また、保炎衝立壁１７の上縁部に、その外側に向けてフランジ状に張り出して二次燃焼火炎付着部１８を形成して、二次燃焼火炎２０の根元部を二次燃焼火炎付着部１８に付着させたことにより、一次燃焼火炎１９の根元部は十分に厚みのある二次燃焼火炎２０の根元部で覆われるため、この二次燃焼火炎２０により、一次燃焼火炎１９の根元部へ二次空気が過剰に供給されることがなくなり、一次燃焼火炎１９の根元への二次空気の流れ込みが、二次燃焼火炎付着部１８が設けられていない場合に比べて大幅に減少し、その結果二次空気の流れ込みによりバーナー１１部で積極的な燃焼反応が起こり、窒素酸化物のプロンプトＮＯｘの生成が促進されてしまうという問題を生じさせないようにすることができる。
【００２５】
また、燃焼筒２の背面壁下部と、バーナーベース１との接続部に避けがたく形成されてしまう隙間２５から燃焼筒２内に流入する空気は、隙間風ガイド１６により燃焼筒２内の底部のバーナー１１が設けられている領域より上部位置に導かれ、バーナー１１の火炎形成部１２に形成される一次燃焼火炎１９を直撃しないようにしたため、サーマルＮＯｘに比べ比較的低温の環境下で発生しやすいと言われている窒素酸化物のプロンプトＮＯｘを極めて効果的に抑制することができる。
【００２６】
また、燃焼筒２をバーナーベース１に取り付けネジ７により固定する作業において、作業ばらつき等により隙間２５の間隔がばらついても窒素酸化物のプロンプトＮＯｘの発生の抑制状態は変化しないため、窒素酸化物の生成を安定して抑制することができる燃焼温風暖房器を提供することが出来る。
【図面の簡単な説明】
【００２７】
【図１】本発明の一実施例を説明する燃焼温風暖房器のバーナー部の断面図である。
【図２】同じく隙間風ガイドの斜視図である。
【図３】従来例と本発明の一実施例を説明する燃焼筒と送風機の位置関係を示す要部斜視図である。
【図４】図３のＡ−Ａ‘線矢視断面図である。
【符号の説明】
【００２８】
１：バーナーベース
２：燃焼筒
３：送風機
１１：バーナー
１２：火炎形成部
１６：隙間風ガイド
２５：隙間
【図１】
2005207653.tif 000003
【図２】
2005207653.tif 000004
【図３】
2005207653.tif 000005
【図４】
2005207653.tif 000006